(57)【要約】【課題】「お」や「う」などを含めた点・濁点・半濁点を伴うひらがな・カタカナ・記号などを、キャンドルに塗装したり印刷したりすることなくワックスのみで表現可能とする。【解決手段】キャンドル部の上部に綿芯部を植設し、下部に串部を取り付けたキャンドルにおいて、前記キャンドル部は縁取り部分を形成する第１ワックス部とその内側の文字などの表示部分を形成する第２ワックス部とからなり、前記第１ワックス部は第２ワックス部を形成するための所定の深さの凹部を有し、前記第１ワックス部と第２ワックス部とは各々異なる色のパラフィンワックス１００％で構成する。  本考案によれば、パラフィンワックス１００％のみによって、点・濁点・半濁点を伴うひらがな・カタカナをはじめとする文字やアルファベット・数字・記号・図形などを表現したキャンドルを提供することができる。【選択図】図１
0003122279.tif 000002
【実用新案登録請求の範囲】
【請求項１】
キャンドル部の上部に綿芯部を植設し、下部に串部を取り付けたキャンドルにおいて、
前記キャンドル部は縁取り部分を形成する第１ワックス部とその内側の文字などの表示部分を形成する第２ワックス部とからなり、
前記第１ワックス部は第２ワックス部を形成するための所定の深さの凹部を有し、
前記第１ワックス部と第２ワックス部とは各々異なる色のパラフィンワックス１００％で構成されていることを特徴とするキャンドル。
【請求項２】
前記第２ワックス部がひらがな、カタカナ、アルファベット、数字、記号、漢字などの１字を表示していることを特徴とする請求項１記載のキャンドル。
【請求項３】
前記第２ワックス部が絵柄、会社ロゴマークなどの図形を表示していることを特徴とする請求項１記載のキャンドル。
【請求項４】
前記第２ワックス部が前記第１ワックス部に使用されている色とは異なる複数の色のパラフィンワックス１００％で構成されていることを特徴とする請求項１乃至３記載のキャンドル。
【考案の詳細な説明】
【技術分野】
【０００１】
本考案は、誕生日、クリスマス、結婚式などのパーティー用のケーキなどに立てて、火をつけて使用するキャンドルに関するものである。
【背景技術】
【０００２】
キャンドルは、一般に円柱状に形成されたワックス（蝋）の中心部分に、長さ方向に沿って芯材が埋設されている。そして、この芯材の先端部がキャンドル本体の上端から突出し、その芯材の先端部に火をつけることにより、照明として使用される。
また、キャンドルの用途は照明だけに止まらず、例えば誕生日、クリスマス、結婚式などのパーティー用のケーキなどに立てたりして使用される。キャンドルの灯には癒しの効果があり、薄暗い中、キャンドルの炎が揺れることにより、リラックスした雰囲気を作り出すことも可能である。
【０００３】
しかし、一般的な単なる円柱状のキャンドルだけでは、表現力に劣り、誕生日、クリスマス、結婚式などのパーティーの雰囲気を盛り上げる上で不十分であるという問題があった。これらのキャンドルは、使用される場面に応じて、その場面にふさわしい単語や文章などを表現することができれば、さらに雰囲気を盛り上げることが可能となり、いっそう幅広くプレゼントなどにも使用されることが可能となるものである。
【０００４】
この改善策として、キャンドル部分に文字や数字を肉盛り変形して色彩を施すものや、キャンドル部に文字や数字を印刷を施すものなどがあった（例えば、特許文献１参照）。しかしながら、塗装や印刷を施すと、ワックス以外のものによる表現に頼る結果となり、ワックス自体が醸し出すキャンドルとしての味わいに欠けるという問題があった。
また、別の改善策としては、文字自体をワックスのみによって表現しキャンドルの形状にするものがあった（例えば、特許文献２参照）。しかしながら、このキャンドルでは、単一色のワックスで構成されているために、数字やアルファベットは表現できるものの、ひらがなの「お」や「う」の点の部分を作ることができないという問題があった。従って、濁点や半濁点を伴うひらがなやカタカナの文字などは、すべて表現することが困難であることから、使用される場面にふさわしい単語や文章などを表現しようと思っても、実際上表現できる単語や文章が著しく制限されるという問題があった。
【特許文献１】実開昭６２−６３５９号公報
【特許文献２】特開２００４−３５８１９号公報
【考案の開示】
【考案が解決しようとする課題】
【０００５】
解決しようとする問題点は、「お」や「う」などを含めた点・濁点・半濁点を伴うひらがな・カタカナ・記号を、キャンドルに塗装したり印刷したりすることなく表現できない点である。
【課題を解決するための手段】
【０００６】
上記の課題を解決するために請求項１記載の考案は、キャンドル部の上部に綿芯部を植設し、下部に串部を取り付けたキャンドルにおいて、前記キャンドル部は縁取り部分を形成する第１ワックス部とその内側の文字などの表示部分を形成する第２ワックス部とからなり、前記第１ワックス部は第２ワックス部を形成するための所定の深さの凹部を有し、前記第１ワックス部と第２ワックス部とは各々異なる色のパラフィンワックス１００％で構成されていることを特徴とする。
【０００７】
請求項２記載の考案は、請求項１記載のキャンドルにおいて、前記第２ワックス部がひらがな、カタカナ、アルファベット、数字、記号、漢字などの１字を表示していることを特徴とする。
【０００８】
請求項３記載の考案は、請求項１記載のキャンドルにおいて、前記第２ワックス部が絵柄、会社ロゴマークなどの図形を表示していることを特徴とする。
【０００９】
請求項４記載の考案は、請求項１乃至３記載のキャンドルにおいて、前記第２ワックス部が前記第１ワックス部に使用されている色とは異なる複数の色のパラフィンワックス１００％で構成されていることを特徴とする。
【考案の効果】
【００１０】
本考案のキャンドル部は２色以上のパラフィンワックスによって構成されているため、色を変えることにより「お」や「う」などを含めた点・濁点・半濁点を伴うひらがな・カタカナ・記号でも、パラフィンワックスのみによって表現が可能であるという効果がある。
【００１１】
そのため本考案に係るキャンドルを、誕生日、クリスマス、結婚式などのパーティー用ケーキなどの上に複数個配列することにより、パーティーをより華やかにして雰囲気を盛り上げることができるという効果がある。
また、プレゼント用としても最適なキャンドルを提供できるという効果もある。
【考案を実施するための最良の形態】
【００１２】
点・濁点・半濁点を伴うひらがな・カタカナ・記号でも表現が可能なキャンドルを提供するという目的を、キャンドル部を２色以上のパラフィンワックスによって構成することにより、塗装や印刷を施すことなく実現した。
【実施例１】
【００１３】
以下に本願の実施の形態について、図面を参照しながら説明する。図１は本考案の実施の形態に係るキャンドルの正面図、図２は同キャンドルのキャンドル部２の例を示す図である。そして、図３及び４は、本考案に係るキャンドルの商品形態を示した斜視図である。
【００１４】
本考案に係るキャンドルは、図１に示すように、キャンドル部２の上部に綿芯部１を植設し、キャンドル部２の下部に串部３を取り付けて形成されている。そして、キャンドル部２は、縁取り部分を形成する第１ワックス部４とその内側の文字などの表示部分を形成する第２ワックス部５とからなっている。
【００１５】
綿芯部１は、綿１００％で棒状に形成されており、先端部が第１ワックス部４から突出すると共に、キャンドル部２の所定の深さまで植設されている。
このように前記綿芯部１は、綿１００％で構成されており有毒物や不純物を使用していないために、綿芯部１の燃焼によっても有毒物質が発生することがなく、安心かつ安全である。
【００１６】
キャンドル部２は、縁取り部分を形成する第１ワックス部４とその内側の文字などの表示部分を形成する第２ワックス部５とからなり、前記第１ワックス部４と第２ワックス部５とは各々異なる色のパラフィンワックス１００％で構成されている。このように、単一色ではなく、複数の色のパラフィンワックス１００％で構成することにより、パラフィンワックス１００％のみによって点・濁点・半濁点を伴う文字などの表現を可能とするキャンドルの製造が可能となった。
【００１７】
そして、第１ワックス部４は第２ワックス部５を形成するために、キャンドル部の表面及び裏面において、各々所定の深さの凹部を形成している。第１ワックス部４の凹部の深さは、第１ワックス部４の表面から裏面にかけて貫通することなく、キャンドル部２の厚みの半分より浅い深さとなっている。
なお、本実施例においては、キャンドル部２の表面部分の第２ワックス部５の形状とその裏面部分の第２ワックス部５の形状とは同一である。
【００１８】
串部３は、プラスチックで構成されている。プラスチックは、軽量で強度が高いだけでなく、腐食性がなくケーキなどの食品に使用しても衛生的である。そして、串部３は下端に向かってほぼ円錐若しくは四角錐の形状でより細く形成されているために、キャンドルをそのまま容易にケーキに直接立てて使用することができるようになっている。
なお、串部３は、竹で構成される場合もあるものとする。竹は、プラスチックに比べて安価だけでなく、竹エキスに含有されている成分が抗菌性を発揮することから抗菌性もある。
【００１９】
本考案に係るキャンドルを製造するためには、まず第２ワックス部５で表現する文字や記号に合わせて凹凸が加工された縁取り部分である第１ワックス部４の形成用の型に、溶融パラフィンワックス１００％を流し込む。
そして、綿芯部１の下部と串部３の上部の一部を所定の深さに埋設する。
次に、前記溶融パラフィンワックス１００％が冷却し固化した後、離型する。
そして、第１ワックス部４の凹部を満たすように、第１ワックス部４に用いた色とは異なる色の溶融パラフィンワックス１００％を注入して、第２ワックス部５を形成する。
さらに、第１ワックス部４と第２ワックス部５の間に段差が生じないように、整形する。
このように、内側の文字などを表示している第２ワックス部５を縁取り部分の第１ワックス部４で囲うことにより、「お」や「う」などを含めた点・濁点・半濁点を伴うひらがな・カタカナをはじめとする文字やアルファベット・数字・記号などを、パラフィンワックス１００％のみによって製造することが可能となった。
【００２０】
本考案に係るキャンドルは、複数個を配列して、使用される場面にふさわしい意味のある単語や文章を表現することができる。
例えば、誕生日、クリスマス、結婚式のお祝い用のケーキなどの上に、前記キャンドルを複数個配列して立てることにより、「１０さい  おめでとう」「ありがとう！」等の意味のある単語や文章を、使用される場面に合わせてキャンドルだけで表現することが可能となる。
【００２１】
さらに、本考案に係るキャンドルは、図３や図４に示すように、ＰＰ袋６やＰＥＴ箱８に収納された上で、製品として販売される。
【００２２】
図３は、吊り下げフック用の穴を持ったＰＰ袋６を使用したパッケージである。ＰＰ袋６を使用することにより商品が汚れない上、ＰＰ（ポリプロピレン）は耐熱性や防湿性があるだけでなく、高い透明度もあることからキャンドルの美しさを外から目視できる。また、塩化ビニルに比べてコストが安く、安価に製造することも可能である。
なお、キャンドルの破損を防ぐため、ＰＰ袋６の内部に台紙８を入れてある。
【００２３】
図４は、吊り下げフック用の穴を持ったＰＥＴ箱８を使用したパッケージである。ＰＥＴ（ポリエチレンテレフタレート）は、耐薬品性や寸法安定性があるだけでなく、透明度も高く外から内部のキャンドルをきれいに目視できるという効果がある。
なお、キャンドルの破損を防ぐため、キャンドルはＰＥＴ箱８内の紙箱９に立設されて収納されている。
また、図４において収納されているキャンドルの数は１つとして示されているが、より大きなＰＥＴ箱を使用することにより、例えば「お」「め」「で」「と」「う」のように意味のある単語や文章単位に複数個のキャンドルを収納することも可能である。また、吊り下げフック用の穴を持たないＰＥＴ箱を使用したパッケージとすることも可能である。
【実施例２】
【００２４】
実施例２の実施の形態が前記の実施例１と異なる点は、第２ワックス部５によって表現する文字などの形状がキャンドル部の表面と裏面とで異なるように形成されており、キャンドル部２の表裏で形状が同一ではない点である。
すなわち、第１ワックス部４の凹部の形状が表面と裏面とで異なることから、キャンドル部２を表面から見るか裏面から見るかによって異なった文字や記号などを目視することができる。
【００２５】
このような構成とすることにより、キャンドル部２の表面と裏面とで異なった形状を表現することができ、より多様な表現を可能とした。
【実施例３】
【００２６】
実施例３の実施の形態が前記の実施例１と異なる点は、第２ワックス部５がキャンドル部の表面のみに形成されており、裏面には形成されていない点である。
すなわち、キャンドル部２の片面は第１ワックス部４のみで構成されていることから、第１ワックス部４を構成する色のパラフィンワックス１００％のみしか目視することができない。
【００２７】
このような構成とすることにより、キャンドル部２の表面のみから目視する場面で使用されるキャンドルについて、対応することができる。
【産業上の利用可能性】
【００２８】
本考案は、「お」や「う」などを含めた点・濁点・半濁点を伴うひらがな・カタカナをはじめとする文字やアルファベット・数字・記号などを表現するキャンドルに対して適用可能なだけでなく、第２ワックス部５を構成する第１ワックス部４の凹部毎に異なる色の溶融パラフィンワックス１００％を注入して製造できるために多様な表現が可能となったことから、会社ロゴマーク、キャラクタ、絵柄などの図形を表現したいキャンドルにも応用可能であり、その利用可能性はきわめて広い。
【図面の簡単な説明】
【００２９】
【図１】キャンドルの正面図である。
【図２】キャンドル部２の例を示した正面図である。
【図３】キャンドルの包装にＰＰ袋を使用した場合の商品形態を示す斜視図である。
【図４】キャンドルの包装にＰＥＴ箱を使用した場合の商品形態を示す斜視図である。
【符号の説明】
【００３０】
１  綿芯部
２  キャンドル部
３  串部
４  第１ワックス部
５  第２ワックス部
６  ＰＰ袋
７  台紙
８  ＰＥＴ箱
９  紙箱
【図１】
0003122279.tif 000003
【図３】
0003122279.tif 000004
【図４】
0003122279.tif 000005
【図２】
0003122279.tif 000006